(57)【要約】アレイ・センサを含む移動通信デバイスを使用する装置および方法。この装置は、第１のハウジング（１１０）、第２のハウジング（１２０）およびアレイ・センサ（１３０）を内蔵することができる。この装置は、さらに、アレイ・センサ（１３０）に結合しているコントローラ（４１０）を含むことができる。このコントローラ（４１０）は、アレイ・センサ（１３０）を横切るフィールド内の変化を感知するように構成されているフィールド変化感知モジュール（６１０）、および第２のハウジングの位置に基づいて、装置の動作のパラメータを調整するように構成されている動作調整モジュール（６２０）のパラメータを含むことができる。この方法は、第２のハウジングの位置を感知するステップと、第２のハウジングの位置に基づいて、アレイ・センサの感度を調整するステップとを含むことができる。
2005528841.tif 000002
【特許請求の範囲】
【請求項１】
第１のハウジング、第２のハウジングおよびアレイ・センサを含む移動通信デバイスの作動方法であって、
前記第２のハウジングの位置を感知するステップと、
前記第２のハウジングの前記位置に基づいて、前記アレイ・センサの感度を調整するステップとを備える方法。
【請求項２】
前記位置は閉位置である、請求項１に記載の移動通信デバイスの作動方法。
【請求項３】
前記センサは容量性アレイ・センサである、請求項１に記載の移動通信デバイスを作動するための方法。
【請求項４】
前記調整ステップは前記アレイ・センサの感度を上げるステップをさらに備える、請求項１に記載の移動通信デバイスの作動方法。
【請求項５】
前記第２のハウジングの開位置を感知するステップと、
前記第２のハウジングの前記開位置に基づいて、前記アレイ・センサの感度を再調整するステップとをさらに備える、請求項１に記載の移動通信デバイスの作動方法。
【請求項６】
前記再調整ステップは前記アレイ・センサの前記感度を下げるステップをさらに備える、請求項５に記載の移動通信デバイスの作動方法。
【請求項７】
前記第２のハウジングは、前記第１のハウジングに回転可能に結合しているハウジングを備える、請求項１に記載の移動通信デバイスの作動方法。
【請求項８】
前記感知ステップは、前記アレイ・センサにより前記第２のハウジングの閉位置を感知するステップをさらに備える、請求項７に記載の移動通信デバイスの作動方法。
【請求項９】
第１のハウジングと、所定の導電性パターンを含む第２のハウジングと、容量性アレイ・センサとを含む移動通信デバイスの作動方法であって、
前記所定の導電性パターンにより、前記第２のハウジングの位置に基づいて、前記容量性アレイ・センサを横切る容量性フィールド内の変化を感知するステップと、
前記第２のハウジングの前記位置に基づいて、前記移動通信デバイスの動作のパラメータを調整するステップとを備える移動通信デバイスの作動方法。
【請求項１０】
前記調整ステップは、前記第２のハウジングの前記位置に基づいて、前記移動通信デバイス内の前記容量性アレイ・センサの感度を調整するステップをさらに含む、請求項９に記載の移動通信デバイスの作動方法。
【請求項１１】
前記調整ステップは、前記容量性アレイ・センサの前記感度を、前記第２のハウジングの前記位置に基づいて、前記第２のハウジングの外側のエリアに上げるステップをさらに含む、請求項１０に記載の移動通信デバイスの作動方法。
【請求項１２】
前記第２のハウジングは、前記第１のハウジングに回転可能に結合しているハウジングを備える、請求項９に記載の移動通信デバイスの作動方法。
【請求項１３】
前記感知ステップは、前記所定の導電性パターンにより、前記第２のハウジングの閉位置に基づいて、前記容量性アレイ・センサを横切る前記容量性フィールド内の変化を感知するステップをさらに備える請求項１２に記載の移動通信デバイスの作動方法。
【請求項１４】
前記調整ステップは前記移動通信デバイス内の前記容量性アレイ・センサの動作の感度を、前記第２のハウジングの前記閉位置に基づいて上げるステップをさらに含む、請求項１３に記載の移動通信デバイスの作動方法。
【請求項１５】
前記感度が前記第２のハウジングの外側に上がる、請求項１４に記載の移動通信デバイスの作動方法。
【請求項１６】
前記第２のハウジングが、前記第２のハウジングに内蔵されているアンテナを含み、前記所定の導電性パターンが、前記第２のハウジングに内蔵されている前記アンテナを備える、請求項９に記載の移動通信デバイスの作動方法。
【請求項１７】
前記第２のハウジングが、前記第２のハウジングに内蔵されているアンテナを含み、前記動作パラメータが、アンテナ・マッチング回路の調整であり、前記調整ステップが、前記第２のハウジングの前記位置に基づいて前記アンテナ・マッチング回路を再調整するステップをさらに備える、請求項９に記載の移動通信デバイスの作動方法。
【請求項１８】
前記第２のハウジングが、前記第２のハウジングに内蔵されている第１のアンテナを含み、前記動作パラメータが、前記第１のアンテナの動作から第２のアンテナの動作への切替えである、請求項９に記載の移動通信デバイスの作動方法。
【請求項１９】
移動通信デバイスであって、
第１のハウジングと、
前記第１のハウジングに結合している第２のハウジングと、
前記第１のハウジングに結合している容量性アレイ・センサと、
前記容量性アレイ・センサに結合しているコントローラとを備え、前記コントローラが、
前記容量性アレイ・センサを横切る容量性フィールド内の変化を感知するように構成される容量性フィールド変化感知モジュールと、
前記第２のハウジングの前記位置に基づいて、前記移動通信デバイスの動作のパラメータを調整するように構成される動作調整モジュールのパラメータとを備える移動通信デバイス。
【請求項２０】
動作調整モジュールの前記パラメータが、さらに、前記第２のハウジングの位置に基づいて、前記容量性アレイ・センサの動作の感度を調整するように構成される、請求項１９に記載の移動通信デバイス。
【請求項２１】
前記容量性アレイ・センサが、
第１の電極アレイと、
前記第１の電極アレイに垂直に配置されている第２の電極アレイとを備え、
前記第１の電極アレイが電磁界を確立し、前記第２の電極アレイが電磁界を確立する、請求項１９に記載の移動通信デバイス。
【請求項２２】
前記コントローラは、前記第１の電極アレイと前記第２の電極アレイの間の測定バランスに基づいて、導電性対象物の位置を決定するように構成されているバランス測定モジュールをさらに備える、請求項２１に記載の移動通信デバイス。
【請求項２３】
前記コントローラは、前記第１の電極アレイと前記第２の電極アレイとの間に相互キャパシタンスを生成するために、前記第１の電極アレイと前記第２の電極アレイに電荷を供給するように構成されている電荷供給モジュールをさらに備える、請求項２１に記載の移
動通信デバイス。
【請求項２４】
前記コントローラは、前記容量性フィールド内の変化を感知することにより、導電性対象物の存在を検出するように構成されている導電性対象物存在検出モジュールをさらに備える、請求項２３に記載の移動通信デバイス。
【請求項２５】
前記導電性対象物存在検出モジュールが、前記第１の電極アレイと前記第２の電極アレイとの間の前記相互キャパシタンスの低減を測定することにより前記容量性フィールド内の変化を感知する、請求項２４に記載の移動通信デバイス。
【請求項２６】
動作調整モジュールの前記パラメータが、さらに、前記容量性アレイ・センサの感度を、前記第２のハウジングの位置に基づいて前記第２のハウジングの外部のエリアに上げるように構成される、請求項１９に記載の移動通信デバイス。
【請求項２７】
前記第２のハウジングが、前記第１のハウジングに回転可能に結合する、請求項１９に記載の移動通信デバイス。
【請求項２８】
前記容量性フィールド変化感知モジュールが、さらに、所定の導電性パターンにより、前記第２のハウジングの閉位置に基づいて、前記容量性アレイ・センサを横切る容量性フィールド内の変化を感知するように構成される、請求項２７に記載の移動通信デバイス。
【請求項２９】
前記第２のハウジングは、前記第２のハウジングに内蔵されているアンテナを備え、前記動作パラメータが、アンテナ・マッチング回路の調整である、請求項１９に記載の移動通信デバイス。
【請求項３０】
前記第２のハウジングは、前記第２のハウジングに内蔵されている第１のアンテナを備え、前記動作パラメータが、前記第１のアンテナの動作から第２のアンテナの動作への切替えである、請求項１９に記載の移動通信デバイス
【請求項３１】
前記第１のハウジングに結合している数字キーパッドをさらに備え、前記容量性アレイ・センサが、前記第１のハウジングに結合している前記数字キーパッドの下に位置する、請求項１９に記載の移動通信デバイス。
【請求項３２】
移動通信デバイスであって、
第１のハウジングと、
前記第１のハウジングに結合している第２のハウジングと、
前記第１のハウジングに結合しているアレイ・センサと、
前記アレイ・センサに結合しているコントローラとを備え、前記コントローラが、
前記アレイ・センサを横切るフィールド内の変化を感知するように構成されているフィールド変化感知モジュールと、
前記アレイ・センサの動作の感度を、前記第２のハウジングの閉位置に基づいて、前記第２のハウジングの外部に上げるように構成されている動作調整モジュールのパラメータとを含む移動通信デバイス。
【請求項３３】
前記第２のハウジングは、前記第１のハウジングに回転可能に結合しているハウジングを備える、請求項３２に記載の移動通信デバイス。
【請求項３４】
前記第２のハウジングは、前記第１のハウジングにスライド可能に結合しているハウジングを備える、請求項３２に記載の移動通信デバイス。
【請求項３５】
前記第２のハウジングは、前記第１のハウジングに取り外し可能に結合しているハウジングを備える、請求項３２に記載の移動通信デバイス。
【請求項３６】
前記コントローラは、前記第２のハウジング内に位置する金属の影響を除去する目的で前記アレイ・センサを再校正するように構成される、請求項３２に記載の移動通信デバイス。
【請求項３７】
前記コントローラは、データ入力機能を含むように構成されていて、前記コントローラが、さらに、データ入力機能が動作できなくなった場合に、導電性対象物を検出するように構成される、請求項３２に記載の移動通信デバイス。
【請求項３８】
前記コントローラは、さらに、前記導電性対象物が検出された場合に、可聴警報を発生するように構成される、請求項３７に記載の移動通信デバイス。
【請求項３９】
ディスプレイをさらに備え、前記コントローラが、さらに、前記導電性対象物が検出された場合に、前記ディスプレイ上にメッセージを表示するように構成される、請求項３８に記載の移動通信デバイス。
【請求項４０】
ディスプレイ・バックライトをさらに備え、前記コントローラが、さらに、前記導電性対象物が検出された場合に、ディスプレイ・バックライトを作動するように構成される、請求項３７に記載の移動通信デバイス。
【発明の詳細な説明】
【技術分野】
【０００１】
本発明は、アレイ・センサを含む移動通信デバイスを使用する方法および装置に関し、特に２つのハウジングおよび１つのアレイ・センサを含む移動通信デバイスに関する。
【背景技術】
【０００２】
現在、移動通信デバイス上で使用する強化アプリケーションの人気が増大している。例えば、移動電話は、パーソナル・オーガナイザ・アプリケーション、インターネット・アクセス・アプリケーション、メッセージング・アプリケーション等を含むことができる。都合の悪いことに、強化アプリケーションは、デバイス上で使用可能な入力以上の入力を必要とする場合がある。例えば、通常の数字のキーパッドの場合、アルファベット文字を容易に入力することができない。また、移動通信デバイスの表面積が狭いために、移動通信デバイスに追加することができる入力の数が制限される。例えば、フルサイズのパーソナル・コンピュータ・キーボードを移動通信デバイスに追加すれば必ず携帯が不便になる。それ故、移動通信デバイスは、強化アプリケーションに対して適当な入力を供給することができない。
【０００３】
また、ある種の移動通信デバイスは、主ハウジングに結合しているカバー・ハウジングを使用する。この場合、カバー・ハウジングは、キーパッドの部分または主ハウジングの他の部分をカバーする。例えば、カバー・ハウジングを、主ハウジングに回転可能または取り外し可能に結合することができる。都合の悪いことに、ユーザは、カバー・ハウジングを閉じた状態で主ハウジングを覆っている場合には、移動通信デバイスの多くの機能にアクセスすることができない。それ故、これらの移動通信デバイスも、適当なユーザ入力機能を提供しない。
【０００４】
１９９６年１０月１５日付けのＧｅｒｐｈｅｉｄｅ他の米国特許第５，５６５，６５８号、１９９９年１月１９日付けのＧｅｒｐｈｅｉｄｅの米国特許第５，８６１，８７５号、２００１年４月２４日付けのＧｅｒｐｈｅｉｄｅ他の米国特許第６，２２２，５２８  Ｂ１号は、容量性をベースとするタッチパッドを開示している。これらの開示されたタッチパッドは、ラップトップおよびデスクトップ・コンピュータ上のマウスの代わりに使用するためのものである。より詳細に説明すると、開示されたこれらのタッチパッドは、フルサイズのキーボードおよびモニタまたは大型ＬＣＤディスプレイのようなディスプレイを使用するコンピュータ上のポインティング・デバイスの代わりに使用した場合特に役に立つ。都合の悪いことに、このようなコンピュータは、携帯に不便なために移動通信デバイスとしては役に立たない。より詳細に説明すると、フルサイズのキーボード、モニタおよびラップトップ・コンピュータですら、携帯するには不便なものである。もう１つの問題は、キーボードおよびディスプレイに加えて、タッチパッドが比較的大きな場所を占めるという問題である。それ故、タッチパッドがフルサイズのキーボードおよびディスプレイと一緒に内蔵されている場合には、タッチパッドを取り付けると、デバイスの携帯がますます不便になる場合がある。
【発明の開示】
【発明が解決しようとする課題】
【０００５】
それ故、移動通信デバイス上で使用する強化アプリケーション用の便利なデータ入力手段の開発が待望されている。
【課題を解決するための手段】
【０００６】
本発明は、アレイ・センサを含む移動通信デバイスを使用する装置および方法を提供す
る。この装置は、第１のハウジングと、第２のハウジングと、アレイ・センサとを含むことができる。この装置は、さらに、アレイ・センサに結合しているコントローラを内蔵することができる。このコントローラは、アレイ・センサを横切るフィールド内の変化を感知するように構成されているフィールド変化感知モジュール、および第２のハウジングの位置に基づいて、装置の動作のパラメータを調整するように構成されている動作調整モジュールのパラメータを含むことができる。この方法は、第２のハウジングの位置を感知するステップと、第２のハウジングの位置に基づいて、アレイ・センサの感度を調整するステップとを含むことができる。アレイ・センサは、数字キーパッドの下に設置することができる。それ故、本発明は、移動通信デバイス上で使用する便利なデータ入力を提供する。
【０００７】
下記の図面を参照しながら、本発明の好ましい実施形態について説明する。図面中、類似の参照番号は類似の素子を示す。
【発明を実施するための最良の形態】
【０００８】
図１は、本発明の一実施形態による移動通信デバイス１０の例示としての図面である。この図面は、開位置にある移動通信デバイス１０の一例である。移動通信デバイス１０は、面１１５を含む第１のハウジング１１０と、第２のハウジング１２０と、タッチパッドまたはアレイ・センサ１３０と、キーパッド１３５と、オーディオ入力装置１４０と、オーディオ出力装置１５０と、視覚出力装置１６０とを含むことができる。第１のハウジング１１０または第２のハウジング１２０は、アレイ・センサ１３０と、キーパッド１３５と、オーディオ入力装置１４０と、オーディオ出力装置１５０と、視覚出力装置１６０の任意の組合わせを含むことができる。キーパッド１３５としては、数字キーパッドを使用することができ、アレイ・センサ１３０はキーパッド１３５の下に設置することができる。移動通信デバイス１０は、必ずしも複数の入力および出力装置を必要としない。例えば、移動通信デバイスは、入力のためにアレイ・センサ１３０および出力のためにディスプレイ１６０だけを使用することができる。
【０００９】
第２のハウジング１２０は、回転可能なカップリング、スライド可能なカップリング、取外し可能なカップリング、または第１のハウジングを第２のハウジングに結合するための任意の他の手段により、第１のハウジング１１０に結合することができる。例えば、第２のハウジング１２０は、第１のハウジング１１５の面の周囲を回転または第１のハウジング１１５の面に沿ってスライドすることもできるし、または第１のハウジング１１０の縁部に沿ってピボット回転することもできる。オーディオ入力装置１４０としてはマイクロホンを使用することができる。オーディオ出力装置１５０としてはスピーカを使用することができる。ディスプレイ１６０としては、ＬＣＤディスプレイ、ＬＥＤディスプレイ、または視覚情報を表示するのに役に立つ任意の他のディスプレイを使用することができる。ディスプレイ１６０は、表示情報を見やすくするためのバックライトを内蔵することができる。アレイ・センサ１３０は、第１のハウジング１１５の面上に位置する、キーパッド１３５等の下面に設置することができる。アレイ・センサ１３０としては、容量性アレイ・センサ、誘導性アレイ・センサまたはアレイ・センサ１３０の近くの対象物を感知するのに役に立つ任意の他のセンサを使用することができる。例えば、アレイ・センサ１３０は、プラスチック基板上に印刷したｘ軸およびｙ軸電極を含むことができる。これらの電極は、充電して、以下に説明するように変化を監視することができる。
【００１０】
動作中、移動通信デバイス１０は、他の移動通信デバイス、基地局等と通信することができる。オーディオ入力装置１４０は、送信のためのオーディオ信号を受信することができ、またオーディオ出力装置１５０は、オーディオ・フォーマットで受信した通信信号を出力することができる。ディスプレイ１６０は、ダイヤルした電話番号、信号強度インジケータ、電話帳入力、テキスト・メッセージ、アイコンまたは任意の他の有用な視覚情報
のような視覚情報を移動通信デバイス１０のユーザへ表示することができる。第２のハウジング１２０を開くと、第１のハウジング１１５の少なくとも一部または全面にアクセスすることができ、閉じると第１のハウジング１１５の面をカバーすることができる。アレイ・センサ１３０は、例えば、電極のキャパシタンスの変化に基づいて、指のような導電性の体の位置を検出するように調整することができる。身体が感知するのに十分な電極のキャパシタンスを変化させる感度または範囲は、１ミリメートルの数分の一から１２ミリメートルの範囲で調整することができる。例えば、第２のハウジングが開いている場合には、アレイ・センサ１３０を、最初に、ハウジング面１１５の外側に位置するユーザの指が、アレイ・センサを作動させる範囲に調整することができる。他の例の場合には、アレイ・センサ１３０は、指がキャパシタンスを変化させる作動させる異なる範囲に入ったかどうかを走査することができる。それ故、本発明は、移動通信デバイス１０に対してもう１つの入力機能を供給することができる。
【００１１】
図２は、第２の実施形態による移動通信デバイス１０の例示としての図面である。この図面は、第２のハウジング１２０が閉じている移動通信デバイス１０の一例を示す。移動通信デバイス１０は、第２のハウジング１２０を第１のハウジング１１０に回転可能に結合するためのピボット２３０を含むことができる。動作中、第２のハウジング１２０を閉じている場合には、アレイ・センサ１３０は、その感度を第１のハウジング１１５の面に対応する第１の感度２１０から、第２のハウジング２４０の外部に対応する第２の感度２２０に調整または増大することができる。それ故、本発明は、キーパッド１３５が閉じている第２のハウジング１２０でカバーされている場合でも、もう１つの入力機能を供給することができる。例えば、第２のハウジングは、入力機能用のマークを含むことができる。さらに、本発明は、第２のハウジング１２０の外部で手書きを認識することができる。
【００１２】
アレイ・センサ１３０は、また、第２のハウジング内に位置する導電素子により、第２のハウジング１２０の開閉位置を検出することができる。例えば、導電素子としては、図３に示すアンテナ３１０のような所定のパターンを使用することができる。別の方法としては、導電素子としては、第２のハウジング１２０に結合している任意の他の所定のパターンを使用することができる。さらに、第２のハウジング１２０の開閉位置を検出するのに役に立つスイッチまたは任意の他のデバイスを、開閉位置を検出するために使用することができる。また、第２のハウジングの開閉位置を検出した場合には、移動通信デバイス１０は、アンテナの位置に基づいて、アンテナ・マッチング回路を再調整し、カウンターポイズを再調整し、動作を他のアンテナ３２０に切替え、動作を改善するために任意の他の機能を実行することができる。
【００１３】
図４は、他の実施形態による移動通信デバイス１０の例示としてのブロック図である。移動通信デバイス１０は、コントローラ４１０と、入力／出力（Ｉ／Ｏ）回路４２０と、送信機回路４３０と、受信機回路４４０と、バス４５０とを含むことができる。動作中、バス４５０は、移動通信デバイス１０の種々の回路および構成要素が、相互に通信できるようにする。Ｉ／Ｏ回路は、アレイ・センサ１３０、キーパッド１３５、オーディオ入力装置１４０、ディスプレイ１６０、およびオーディオ出力装置１５０のようなＩ／Ｏデバイスに対するインタフェースを供給する。送信機回路４３０は、他の移動通信デバイス、基地局等に通信信号を送信する。受信機回路４４０は、他の移動通信デバイス、基地局等からの通信信号を受信する。コントローラ４１０は、移動通信デバイス１０の動作を制御する。
【００１４】
一実施形態によれば、コントローラ４１０は、第２のハウジング１２０の位置を感知し、第２のハウジング１２０の位置に基づいて、アレイ・センサ１３０の感度を調整する。感知された位置は、閉位置である場合もあるし、アレイ・センサ１３０は、容量性アレイ・センサである場合もある。コントローラ４１０は、アレイ・センサ１３０の感度を、第
２のハウジング１２０の閉位置に基づいて、第２のハウジング１２０の外側のエリアに上げることができる。コントローラは、また、第２のハウジング１２０内に位置するかもしれない任意の金属の影響を除去するために、アレイ・センサ１３０を再校正することができる。コントローラ４１０は、また、第２のハウジング１２０の開位置を感知し、第２のハウジング１２０の開位置に基づいて、アレイ・センサ１３０の感度を調整することができる。例えば、コントローラ４１０は、アレイ・センサ１３０の感度を、第２のハウジング１２０の開位置に基づいて、第１のハウジング１１５の面に下げることができる。コントローラ４１０は、アレイ・センサ１３０により第２のハウジング１２０の位置を感知することができる。
【００１５】
他の実施形態の場合には、コントローラ４１０を、動作可能にしたり動作不能にしたりすることができるデータ入力機能を含むように構成することができる。例えば、ユーザは、移動通信デバイス１０をユーザのポケットに入れた場合、または移動通信デバイス１０を能動的に使用していない場合、データ入力機能を動作不能にすることができる。それ故、アレイ・センサ１３０は、そのような感知をしたくない場合、データ入力に対する偶発的導電性対象物を検出しない。移動通信デバイス１０の第１のハウジング１１０、または第２のハウジング１２０上に位置する専用ボタンを押すことにより、データ入力機能を動作できるようにしたり、動作できないようにすることができる。さらに、アンテナの性能は、大きな導電性対象物が近くにあると影響を受けるので、コントローラ４１０は、データ入力機能が動作できないようにした場合には、導電性対象物の存在を検出するように構成することができる。その後で、コントローラ４１０は、導電性対象物を検出した場合、可聴警報を発生することもできるし、またはディスプレイ１６０上にメッセージを表示することもできる。それ故、例えば、移動通信デバイス１０が入接続呼を受信しにくい場所に位置している場合、ユーザにそれを通知することができる。例えば、ユーザが、移動通信デバイス１０をユーザの身体の側にアンテナを収容した状態でポケット内に入れていた場合には、警報を発生し、移動通信デバイス１０を最適な性能にする方法を通知するメッセージを表示することができる。警報をトリガする恐れがある他の対象物としては、財布、ブリーフケース、テーブルまたは移動通信デバイス１０の性能に影響を与える恐れがある任意の他の対象物等がある。
【００１６】
他の実施形態の場合には、コントローラ４１０を、さらに、導電性対象物を検出した場合、ディスプレイ１６０内のディスプレイ・バックライトを作動するように構成することができる。例えば、ユーザが移動通信デバイス１０を取り上げた場合に、表示を照明するためにバックライトを作動することができる。
【００１７】
他の実施形態の場合には、アレイ・センサ１３０として、容量性アレイ・センサを使用している。コントローラ４１０は、第２のハウジング１２０内に位置する所定の導電性パターンにより、第２のハウジング１２０の位置に基づいて、容量性アレイ・センサ１３０を横切る容量性フィールド内の変化を感知し、第２のハウジング１２０の位置に基づいて、移動通信デバイス１０の動作のパラメータを調整する。動作のパラメータは、容量性アレイ・センサ１３０の動作の感度であってもよい。また、所定の導電性パターンは、第２のハウジング１２０が内蔵しているアンテナ３１０であってもよい。コントローラ４１０は、容量性アレイ・センサ１３０の感度を、第２のハウジング１２０の閉位置に基づいて、第２のハウジング１２０の外部に上げることができる。さらに、コントローラ４１０は、第２のハウジング１２０の位置に基づいて、送信機回路４３０または受信機回路４４０内に位置するアンテナ・マッチング回路を再調整することができる。コントローラ４１０は、第２のハウジング１２０の位置に基づいて、動作をあるアンテナ３１０から他のアンテナ３２０に切り替えることができる。
【００１８】
図５は、一実施形態による容量性アレイ・センサ１３０としてのアレイ・センサ１３０
の一例の例示としての図面である。容量性アレイ・センサ１３０は、電極５１５を含む第１の電極アレイ５１０、電極５２５を含む第２の電極アレイ５２０、タッチパッド面５４０、および感知電極５３０を含むことができる。第１の電極アレイ５１０は、交差領域を形成するために、第２のアレイ電極５２５に垂直になっている状態で、第２の電極アレイ５２０を第１のアレイ電極５１５と交差させることができる。誘電体のようなスペーサ、絶縁体、空気ギャップ等は、電極アレイ５１０および５２０を分離することができる。
【００１９】
動作中、第１の電極アレイ５１０は、第２の電極アレイ５２０と一緒に電界を確立することができる。この電界は、また、感知電極５３０に対して決定することができる。感知電極５３０は、必ずしも、電極アレイ５１０および５２０の動作のためのものではない。より詳細に説明すると、電界またはキャパシタンスは、感知電極５３０を使用しなくても、電極アレイ５１０および５２０の間に生成することができる。コントローラ４１０は、キャパシタンスが電極アレイ５１０と５２０の間に、または各電極アレイ５１０および５２０と感知電極５３０との間に存在するように、電界を発生するために第１の電極アレイ５１０および第２の電極アレイ５２０に電荷を供給することができる。コントローラ４１０は、キャパシタンス上の導電性対象物の影響に基づいて、タッチパッド面５４０に近い導電性対象物の存在を検出することができる。例えば、指のような導電性対象物が容量性アレイ・センサ１３０の近くにあると、キャパシタンスが低減する場合がある。次に、コントローラ４１０は、キャパシタンスの低減を測定することにより導電性対象物の存在を検出することができる。次に、コントローラ４１０は、関連する電極５１５および５２５に関するキャパシタンスの変化に基づいて、容量性対象物の位置を決定することができる。
【００２０】
図６は、他の実施形態によるコントローラ４１０の例示としてのブロック図である。コントローラ４１０は、容量性フィールド変化感知モジュール６１０と、動作調整モジュール６２０のパラメータと、バランス測定モジュール６３０と、電荷供給モジュール６４０と、導電性対象物存在検出モジュール６５０とを含むことができる。これらのモジュールは、コントローラ４１０内に位置する回路であっても、ソフトウェア・アルゴリズムであっても、プログラマブル・ロジック・デバイス等であってもよい。
【００２１】
動作中、容量性フィールド変化感知モジュール６１０は、容量性アレイ・センサ１３０を横切る容量性フィールド内の変化を感知し、動作調整モジュール６２０のパラメータは、第２のハウジング１２０の位置に基づいて、移動通信デバイス１０の動作のパラメータを調整する。動作調整モジュール６２０のパラメータは、第２のハウジング１２０の開位置または閉位置に基づいて、容量性アレイ・センサ１３０の感度を調整する。容量性アレイ・センサ１３０は、電極アレイに対応する電磁界を確立するために、第１の電極アレイ５１０に垂直に配置されている第１の電極アレイ５１０および第２の電極アレイ５２０を含むことができる。バランス測定モジュール６３０は、容量性アレイ・センサ１３０の第１の電極アレイ５１０と第２の電極アレイ５２０の間の測定バランスに基づいて、導電性対象物の位置を決定することができる。電荷供給モジュール６４０は、容量性アレイ・センサ１３０のアレイ間に相互キャパシタンスを生成するために、第１の電極アレイ５１０と第２の電極アレイ５２０に電荷を供給することができる。
【００２２】
導電性対象物存在検出モジュール６５０は、容量性フィールド内の変化を感知することにより導電性対象物の存在を検出することができる。容量性フィールド内のこの変化は、第１の電極アレイ５１０と第２の電極アレイ５２０間の相互キャパシタンスの低減を測定することにより検出することができる。動作調整モジュール６２０のパラメータは、また容量性アレイ・センサ１３０の感度を第２のハウジング１２０の位置に基づいて、第２のハウジング１２０の外側のエリアに上げることができる。容量性フィールド変化感知モジュール６１０は、また、所定の導電性パターンにより、第２のハウジング１２０の閉位置
に基づいて、容量性アレイ・センサ１３０を横切る容量性フィールド内の変化を感知することができる。
【００２３】
本発明の方法は、好適には、プログラムしたプロセッサ内で実施することが好ましい。しかし、コントローラ４１０の動作は、また、汎用または特殊な目的のコンピュータ、プログラムしたマイクロプロセッサまたはマイクロコントローラ、および周辺集積回路素子、ＡＳＩＣまたは他の集積回路、ハードウェア電子回路または個々の素子回路のようなロジック回路、ＰＬＤ、ＰＬＡ、ＦＰＧＡまたはＰＡＬ等のようなプログラマブル・ロジック・デバイス上で実行することもできる。通常、コントローラ４１０の動作を実施することができる有限状態マシンがその上に常駐している任意のデバイスを、本発明のプロセッサ機能を実施するために使用することができる。
【００２４】
特定の実施形態を参照しながら本発明を説明してきたが、当業者であれば多くの代案、修正、および変更を容易に思い付くことは明らかである。例えば、上記実施形態の種々の構成要素は、他のものと交換することもできるし、追加することもできるし、他の実施形態の他の構成要素を代わりに使用することもできる。それ故、本明細書内に記載した本発明の好ましい実施形態は、例示としてのものであって本発明を制限するものではない。本発明の精神および範囲から逸脱することなしに、種々の変更を行うことができる。
【図面の簡単な説明】
【００２５】
【図１】第１の実施形態による移動通信デバイスの例示としての図面。
【図２】第２の実施形態による移動通信デバイスの例示としての図面。
【図３】第３の実施形態による移動通信デバイスの例示としての図面。
【図４】他の実施形態による移動通信デバイスの例示としてのブロック図。
【図５】一実施形態による容量性アレイ・センサの例示としての図面。
【図６】一実施形態によるコントローラの例示としてのブロック図。
【図１】
2005528841.tif 000003
【図２】
2005528841.tif 000004
【図３】
2005528841.tif 000005
【図４】
2005528841.tif 000006
【図５】
2005528841.tif 000007
【図６】
2005528841.tif 000008
【国際調査報告】
2005528841.tif 000009
2005528841.tif 000010